(57)【要約】【課題】従来技術のＬＥＤランプ構造体では、ダイオードが故障したときには、ランプ構造体本体ともに破棄しなければならず、環境破壊の問題を増進し、同時に資源および費用の無駄を招いてしまう。【解決手段】放熱ハウジングと、口金と、駆動回路板と、発光ユニット板と、パッドと、レンズカバーとを備えた発光ユニットを交換可能な発光ダイオードランプ構造体である。前記放熱ハウジングは一方の端には開口部を有し、他方の端には取付け口を有している。前記口金は前記放熱ハウジングの取付け口に配設されている。前記駆動回路板は前記放熱ハウジングの内部に配設されて、前記口金に電気的に接続されている。前記発光ユニット板および前記パッドは前記開口部内に配設されて、前記発光ユニット板は前記駆動回路板に電気的に接続される。前記レンズカバーは前記開口部内に配設される。前記構成要素の間の組付け関係により、ＬＥＤ発光ユニットを交換可能な発光ダイオードランプ構造体を実現することができる。【選択図】図１Ａ
2011228117.tif 000002
【特許請求の範囲】
【請求項１】
一方の端には開口部を有し、他方の端には取付け口を有しており、前記開口部内には貫通穴を有しているセパレータと内壁上にねじ溝部とが備えられており、また、内部には前記貫通穴および前記取付け口に連通している収容空間を備えている放熱ハウジングと、
前記取付け口に配設され、その上には螺接部と、前記螺接部に絶縁的に組付けられている中心電極とを備えている口金と、
前記収容空間内に配設され、その上には二本の電力導入線と二本の電力出力線とが設けられており、このうちの一方の電力導入線が螺接部に電気的に接続され、他方の電力導入線が前記中心電極に電気的に接続され、また前記二本の電力出力線がコネクタに接続されている駆動回路板と、
台座を備えており、前記台座の一方の面には台座とは絶縁されている回路基板を備えており、前記回路基板には少なくとも一つの発光素子が電気的に接続されており、前記回路基板上には二本の電力リード線を電気的に接続するハンダ付け面をさらに備えている発光ユニット板と、
前記開口部上に配設され、前記ねじ溝部に螺合するねじ溝面を表面に有している接合部をその上に備えているレンズカバーと、
前記レンズカバーと前記発光ユニットとの間に配設されているパッドと、
を具備したことを特徴とする発光ユニットを交換可能な発光ダイオードランプ構造体。
【請求項２】
前記放熱ハウジングが、金属材質でカップ状に作製するものであって、前記放熱ハウジングの外面にリング状である複数の放熱フィンを備えたことを特徴とする請求項１に記載の発光ユニットを交換可能な発光ダイオードランプ構造体。
【請求項３】
前記台座が薄板状のアルミニウム材質製であり、前記台座および回路基板上には二本の電力リード線を挿通させる挿通穴が設けられており、前記二本の電力リード線には、前記駆動回路板の二本の電力出力線に接続されるコネクタに挿接されるコネクタが設けられていることで、発光ダイオードである発光素子を点灯させることを特徴とする請求項１に記載の発光ユニットを交換可能な発光ダイオードランプ構造体。
【請求項４】
一方の端には開口部を有し、他方の端には取付け口を有しており、前記開口部内には貫通穴を有しているセパレータと内壁上に複数の嵌合溝とが備えられており、また、内部には前記貫通穴および前記取付け口に連通している収容空間を備えている放熱ハウジングと、
前記取付け口に配設され、その上には螺接部と、前記螺接部に絶縁的に組付けられている中心電極とを備えている口金と、
前記収容空間内に配設され、その上には二本の電力導入線と二本の電力出力線とが設けられており、このうちの一方の電力導入線が螺接部に電気的に接続され、他方の電力導入線が前記中心電極に電気的に接続され、また前記二本の電力出力線がコネクタに接続されている駆動回路板と、
台座を備えており、前記台座の一方の面には台座とは絶縁されている回路基板を備えており、前記回路基板には少なくとも一つの発光素子が電気的に接続されており、前記回路基板上には二本の電力リード線を電気的に接続するハンダ付け面をさらに備えている発光ユニット板と、
前記開口部上に配設され、前記嵌合溝内に係合する複数の係止ツメを備えた接合部をその上に備えているレンズカバーと、
前記レンズカバーと前記発光ユニットとの間に配設されているパッドと、
を具備したことを特徴とする発光ユニットを交換可能な発光ダイオードランプ構造体。
【請求項５】
前記放熱ハウジングが、金属材質でカップ状に作製するものであって、前記放熱ハウジングの外面にリング状である複数の放熱フィンを備えており、前記放熱ハウジングの嵌合溝がＬ字状をなし、入口とスライド溝とを備えていることを特徴とする請求項４に記載の発光ユニットを交換可能な発光ダイオードランプ構造体。
【請求項６】
前記台座が薄板状のアルミニウム材質製であり、前記台座および回路基板上には二本の電力リード線を挿通させる挿通穴が設けられており、前記二本の電力リード線には、前記駆動回路板の二本の電力出力線に接続されるコネクタに挿接されるコネクタが設けられていることで、発光ダイオードである発光素子を点灯させることを特徴とする請求項４に記載の発光ユニットを交換可能な発光ダイオードランプ構造体。
【請求項７】
前記セパレータ上には前記開口部の内壁とで隙間を有する複数の位置決め突起をさらに備えており、前記台座上には前記位置決め突起に対応する複数の位置決め溝をさらに備えていることを特徴とする請求項４に記載の発光ユニットを交換可能な発光ダイオードランプ構造体。
【請求項８】
一方の端には開口部を有し、他方の端には取付け口を有しており、前記開口部内には貫通穴および複数の押し当て手段を有しているセパレータと複数の嵌合溝とが備えられており、前記押し当て手段と前記開口部の内壁との間には隙間を有しており、また、内部には前記貫通穴および前記取付け口に連通している収容空間を備えている放熱ハウジングと、
前記取付け口に配設され、その上には螺接部と、前記螺接部に絶縁的に組付けられている中心電極とを備えている口金と、
前記収容空間内に配設され、その上には二本の電力導入線と二本の電力出力線とが設けられており、このうちの一方の電力導入線が螺接部に電気的に接続され、他方の電力導入線が前記中心電極に電気的に接続され、また前記二本の電力出力線がコネクタに接続されている駆動回路板と、
台座を備えており、前記台座の一方の面には台座とは絶縁されている回路基板を備えており、前記回路基板には少なくとも一つの発光素子が電気的に接続されており、前記回路基板上には二本の電力リード線を電気的に接続するハンダ付け面をさらに備えており、また前記台座の外周上には複数の位置決め溝を備えている発光ユニット板と、
前記開口部上に配設され、前記嵌合溝内に係合する複数の係止ツメを備えた接合部をその上に備えているレンズカバーと、
を具備したことを特徴とする発光ユニットを交換可能な発光ダイオードランプ構造体。
【請求項９】
前記放熱ハウジングが、金属材質でカップ状に作製するものであって、前記放熱ハウジングの外面にリング状である複数の放熱フィンを備えており、前記放熱ハウジングの嵌合溝がＬ字状をなし、入口とスライド溝とを備えていることを特徴とする請求項８に記載の発光ユニットを交換可能な発光ダイオードランプ構造体。
【請求項１０】
前記押し当て手段が前記セパレータ上に、スプリングおよび押し当て板が枢設された突起を備えており、前記押し当て板は断面が四角形をなすとともに、両突片がわずかに反り上がっていることを特徴とする請求項８に記載の発光ユニットを交換可能な発光ダイオードランプ構造体。
【請求項１１】
前記台座が薄板状のアルミニウム材質製であり、前記台座および回路基板上には二本の電力リード線を挿通させる挿通穴が設けられており、前記二本の電力リード線には、前記駆動回路板の二本の電力出力線に接続されるコネクタに挿接されるコネクタが設けられていることで、発光ダイオードである発光素子を点灯させることを特徴とする請求項４に記載の発光ユニットを交換可能な発光ダイオードランプ構造体。
【請求項１２】
一方の端には開口部を有し、他方の端には取付け口を有しており、前記開口部内には貫通穴を有し内壁にねじ溝面を有するセパレータとねじ溝部とが備えられており、また、内部には前記貫通穴および前記取付け口に連通している収容空間を備えている放熱ハウジングと、
前記取付け口に配設され、その上には螺接部と、前記螺接部に絶縁的に組付けられている中心電極とを備えている口金と、
収容空間内に配設され、その上には二本の電力導入線と二つの導電端子とが設けられており、このうちの一方の電力導入線が螺接部に電気的に接続され、他方の電力導入線が前記中心電極に電気的に接続されている駆動回路板と、
台座を備えており、前記台座の一方の面には台座とは絶縁されている回路基板を備えており、前記回路基板には少なくとも一つの発光素子が電気的に接続されており、前記回路基板上には二本の電力リード線を電気的に接続するハンダ付け面をさらに備えており、また、前記台座の他方の面上に中空状の円柱体を備えており、前記円柱体の底部には、前記導電端子に電気的に接続されている二つの電極端子を備え、前記円柱体の外面は貫通穴のねじ溝面に螺合する螺接部を備えており、また前記二つの電極端子は前記台座の二本の電力リード線に電気的に接続されている発光ユニット板と、
前記開口部上に配設され、前記ねじ溝部に螺合するねじ溝面を表面に備えた接合部をその上に備えているレンズカバーと、
を具備したことを特徴とする発光ユニットを交換可能な発光ダイオードランプ構造体。
【請求項１３】
前記放熱ハウジングが、金属材質でカップ状に作製するものであって、前記放熱ハウジングの外面にリング状である複数の放熱フィンを備えたことを特徴とする請求項１２に記載の発光ユニットを交換可能な発光ダイオードランプ構造体。
【請求項１４】
前記台座が薄板状のアルミニウム材質製であり、前記台座および回路基板上には二本の電力リード線を挿通させる挿通穴が設けられており、前記二本の電力リード線には、前記駆動回路板の二本の電力出力線に接続されるコネクタに挿接されるコネクタが設けられていることで、発光ダイオードである発光素子を点灯させることを特徴とする請求項１２に記載の発光ユニットを交換可能な発光ダイオードランプ構造体。
【発明の詳細な説明】
【技術分野】
【０００１】
本発明はランプに関し、とりわけランプ器具に取付け可能なうえ、発光ユニットを交換可能なランプに関する。
【背景技術】
【０００２】
従来の発光ダイオード（ＬＥＤ、ｌｉｇｈｔ ｅｍｉｔｔｉｎｇ ｄｉｏｄｅ）は小型で、消費電力も少なく、寿命も長いことから、徐々に従来の白熱球の代わりとして、交通信号機、自動車のターンランプ、懐中電灯、携帯電話機、ランプ器具および大型の屋外サインランプなどに広く使用されるようになっている。
【０００３】
したがって、現在、例えば台湾特許証書番号Ｍ３５４６９１、Ｍ３５６０６７、Ｍ３５６８５２、Ｍ３５８２３９、Ｍ３７１８４６、Ｍ３７２４２７、Ｍ３７２７９８、Ｍ３７３４３９、Ｍ３７４５３８号などにおいて、多くの場合、発光ダイオードが回路板または基板上に実装され、さらに基板を放熱性のハウジング内部に取付け、そして放熱性のハウジングの前端にレンズカバーを取付けることで、ランプ器具に装着して使用可能なランプ構造体を構成している。
【発明の概要】
【発明が解決しようとする課題】
【０００４】
これら公開登録されているＬＥＤランプ構造体において、多くのＬＥＤランプ構造体内部における発光ダイオード（ＬＥＤ）ユニット上の発光ダイオード（ＬＥＤ）が故障したときには、新しい発光ダイオードランプ構造体に直に交換して、故障した発光ダイオードランプ構造体は破棄するというものであり、使用者が発光ダイオードの発光ユニットのみを交換するということはできない。このように発光ダイオードランプ構造体を破棄するということは環境破壊の問題を増進し、同時に資源および費用の無駄を招いてしまう。
【０００５】
したがって、本発明の主な目的は、上記した従来の発光ダイオード（ＬＥＤ）ランプ構造体の問題を解決すべく、発光ダイオード（ＬＥＤ）発光ユニットを交換可能な発光ダイオード（ＬＥＤ）ランプ構造体を提供するところにある。
【課題を解決するための手段】
【０００６】
上記目的を達成するために、本発明では、
外面に複数のリング状である放熱フィンを備えており、一方の端には開口部を有し、他方の端には取付け口を有しており、前記開口部内には貫通穴を有しているセパレータとねじ溝部とが備えられており、また、内部には前記貫通穴および前記取付け口に連通している収容空間を備えている放熱ハウジングと、
前記取付け口に配設され、その上には螺接部と、螺接部に絶縁的に組付けられている中心電極とを備えている口金と、
収容空間内に配設され、その上には二本の電力導入線と二本の電力出力線とが設けられており、このうちの一方の電力導入線が螺接部に電気的に接続され、他方の電力導入線が前記中心電極に電気的に接続され、また二本の電力出力線がコネクタに接続されている駆動回路板と、
薄板状のアルミニウム材質の台座を備えており、前記台座の一方の面には台座とは絶縁されている回路基板を備えており、前記回路基板には少なくとも一つの発光素子が電気的に接続されており、前記回路基板上には二本の電力リード線を電気的に接続するハンダ付け面をさらに備えており、また前記台座および回路基板上には二本の電力リード線を挿通させる挿通穴が設けられており、前記二本の電力リード線には、前記駆動回路板の二本の電力出力線のコネクタに挿接されるコネクタが設けられていることで、駆動回路板が駆動信号を発光ユニット板に送出する発光ユニット板と、
前記台座の片側の面上に配設されているパッドと、
前記開口部上に配設され、前記開口部内のねじ溝部に螺合するねじ溝面を表面に有している接合部を備えているレンズカバーと、を具備している。
【発明の効果】
【０００７】
このように、発光ユニットを交換することで、ランプは本体ごと破棄することなくランプを繰り返し使用可能となり、環境保護および費用を節減できる目的を達成することができる。
【図面の簡単な説明】
【０００８】
【図１Ａ】本発明の第１の実施例における発光ダイオードランプ構造体の分解概略図である。
【図１Ｂ】図１Ａの側面断面概略図である。
【図２Ａ】本発明の第２の実施例における発光ダイオードランプ構造体の分解概略図である。
【図２Ｂ】それぞれ図２Ａのレンズカバーおよび放熱ハウジングを組付ける動作の概略図である。
【図２Ｃ】それぞれ図２Ａのレンズカバーおよび放熱ハウジングを組付ける動作の概略図である。
【図２Ｄ】それぞれ図２Ａのレンズカバーおよび放熱ハウジングを組付ける動作の概略図である。
【図３Ａ】本発明の第３の実施例における発光ダイオードランプ構造体の分解概略図。
【図３Ｂ】図３Ａのレンズカバー、発光ユニットおよび放熱ハウジングを組付ける動作の概略図である。
【図３Ｃ】図３Ａのレンズカバー、発光ユニットおよび放熱ハウジングを組付ける動作の概略図である。
【図３Ｄ】図３Ａのレンズカバー、発光ユニットおよび放熱ハウジングを組付ける動作の概略図である。
【図３Ｅ】図３Ａのレンズカバー、発光ユニットおよび放熱ハウジングを組付ける動作の概略図である。
【図４Ａ】本発明の第４の実施例における発光ダイオードランプ構造体の分解概略図である。
【図４Ｂ】図４Ａのレンズカバー、発光ユニットおよび放熱ハウジングを組付ける動作の概略図である。
【図４Ｃ】図４Ａのレンズカバー、発光ユニットおよび放熱ハウジングを組付ける動作の概略図である。
【図４Ｄ】図４Ａのレンズカバー、発光ユニットおよび放熱ハウジングを組付ける動作の概略図である。
【図４Ｅ】図４Ａのレンズカバー、発光ユニットおよび放熱ハウジングを組付ける動作の概略図である。
【図４Ｆ】図４Ａのレンズカバー、発光ユニットおよび放熱ハウジングを組付ける動作の概略図である。
【図５Ａ】本発明の第５の実施例における発光ダイオードランプ構造体の分解概略図である。
【図５Ｂ】図５Ａのレンズカバー、発光ユニットおよび放熱ハウジングを組付ける動作の概略図である。
【発明を実施するための形態】
【０００９】
本発明の詳細な説明および技術内容に関して、ここに図面を合わせて以下のとおり説明する。
【００１０】
本発明の第１の実施例における発光ダイオードランプ構造体の分解および図１Ａの側面断面概略図である図１Ａ、Ｂを参照されたい。図示するように、本発明の発光ユニットを交換可能な発光ダイオード（ＬＥＤ）ランプ構造体は、放熱ハウジング１と、口金２と、駆動回路板３と、発光ユニット板４と、パッド５と、レンズカバー６とを備えている。
【００１１】
放熱ハウジング１は放熱性の金属材質（アルミニウム）でカップ状に作製するものであって、その外面にリング状である複数の放熱フィン１１を備えており、前記放熱ハウジング１の一方の端には開口部１２を有しており、他方の端には取付け口１３を有しており、前記開口部１２内には貫通穴１６を有しているセパレータ１４とねじ溝部１５とを備えている。また、放熱ハウジング１内部には前記貫通穴１６および前記取付け口１３に連通している収容空間１７を備えている。
【００１２】
前記口金２は前記放熱ハウジング１の取付け口１３に配設され、その上にはリング状である螺接部２１と螺接部２１に絶縁的に組付けられている中心電極２２とを備えている。前記口金２は従来技術であるので、ここでは別段説明しない。
【００１３】
前記駆動回路板３は前記放熱ハウジング１内部の収容空間１７内に配設され、その上には二本の電力導入線３１、３１’と二本の二本の電力出力線３２とを備えており、このうちの一本の電力導入線３１が螺接部２１に電気的に接続され、他方の電力導入線３１’が前記中心電極２２に電気的に接続され、また二本の電力出力線３２がコネクタ３３に接続されている。
【００１４】
発光ユニット板４は薄板状のアルミニウム材質の台座４１を備えており、前記台座４１の一方の面には台座４１とは絶縁されている回路基板４２を備えており、前記回路基板４２には少なくとも一つの発光素子４３が電気的に接続されており、前記回路基板４２上には二本の電力リード線４５を電気的に接続するハンダ付け面４２１をさらに備えている。また前記台座４１および回路基板２上には二本の電力リード線４５を挿通させる挿通穴４４が設けられており、前記二本の電力リード線４５には、前記駆動回路板３の二本の電力出力線３２のコネクタ３３に挿接されるコネクタ４６が設けられていることで、駆動回路板３が駆動信号を発光ユニット板４に送出して、発光素子４３を点灯させる。本図においては、前記発光素子４３は発光ダイオードである。
【００１５】
前記パッド５はリング状の合成樹脂またはラバー材質製であり、前記パッド５は前記台座４１の片側の面上に配設されている。
【００１６】
前記レンズカバー６は透明の合成樹脂製であり、その上には前記開口部１２内のねじ溝部１５に螺合するねじ溝面６２を表面に有している接合部６１を備えている。同時に、前記台座４１を前記開口部１２内に安定的に組付けるために、前記接合部６１の底部は台座４１の片方の面に押し当てられている。
【００１７】
図１Ａの断面概略図である図１Ｂを参照されたい。図示するように、前記口金２、駆動回路板３、発光ユニット板４、パッド５およびレンズカバー６の前記放熱ハウジング１への組付けが完了した後、口金２が従来のランプソケット（図示しない）に取付けられたとき、この外部の電力は直ちにソケット、口金２を介して、電力導入線３１、３１’を経由して、前記駆動回路板３に供給され、さらに前記駆動回路板３が前記発光ユニット板４上の発光素子４３を点灯する。前記発光素子４３により発生した光はレンズカバー６を通じて外部に照射される。
【００１８】
発光ユニット板４上の発光素子４３が故障したときには、使用者はレンズカバー６と開口部１２との螺合設計により、前記レンズカバー６を回転させて開口部１２から開けて、パッド５を取り外して、さらに台座４１の二本の電力リード線４５上のコネクタ４６と前記二本の電力出力線３２のコネクタとを抜離した後、発光ユニット板４を交換することができる。これによりランプは本体ごと破棄することなくランプを繰り返し使用可能となり、環境保護および費用を節減できる目的を達成することができる。
【００１９】
本発明の第２の実施例における発光ダイオードランプ構造体の分解概略図である図２Ａを参照されたい。図示するように、本実施例は上記図１、２に開示する構造と略同じであるが、相違点はレンズカバー６の接合部６１上のねじ溝面６２が係止ツメ６３に、前記放熱ハウジング１の開口部１２内部のねじ溝部１５が嵌合溝１８に変更され、前記嵌合溝１８がＬ字状をなし、入口１８１とスライド溝１８２とを備えている点である。
【００２０】
図２Ａのレンズカバーおよび放熱ハウジングを組付ける動作の概略図である図２ＢないしＤを参照されたい。図示するように、前記口金２、駆動回路板３、発光ユニット板４、パッド５の前記放熱ハウジング１への組付けが完了した後、レンズカバー６の係止ツメ６３が嵌合溝１８の入口１８１から進入し、レンズカバー６を回転させて、前記係止ツメ６３を前記スライド溝１８２にてスライドさせることで、前記レンズカバー６と前記放熱ハウジング１の開口部１２との組付けを迅速に行うことができる。
【００２１】
本発明の第３の実施例における発光ダイオードランプ構造体の分解概略図である図３Ａを参照されたい。図示するように、本実施例は上記図３、４に開示する構造と略同じであるが、相違点は台座４１が複数の位置決め溝４７を備え、前記放熱ハウジング１内のセパレータ１４上に、前記開口部１２内壁とで隙間１９を有する複数の位置決め突起１４１が凸設されている点である。
【００２２】
図３Ａのレンズカバー、発光ユニットおよび放熱ハウジングを組付ける動作の概略図である図３ＢないしＥを参照されたい。図示するように、前記口金２、駆動回路板３、発光ユニット板４、パッド５の前記放熱ハウジング１への組付けが完了した後、レンズカバー６の接合部６１がまず位置決め突起１４１と前記開口部１２の内壁とで形成されている隙間１９内に組付けられるとともに、同時にレンズカバー６の係止ツメ６３が嵌合溝１８の入口１８１に位置合せされて進入した後、レンズカバー６を回転させて、前記係止ツメ６３を前記スライド溝１８２にてスライドさせることで、前記レンズカバー６と前記放熱ハウジング１の開口部１２との組付けを迅速に行うことができる。
【００２３】
本発明の第４の実施例における発光ダイオードランプ構造体の分解概略図である図４Ａを参照されたい。図示するように、放熱ハウジング１のセパレータ１４上における位置決め突起１４１を、弾性を有する押し当て手段１０に変更している。前記押し当て手段１０は前記セパレータ１４上に、スプリング１０２および押し当て板１０３が枢設された突起１０１を備えており、前記押し当て板１０３は断面が四角形をなすとともに、両突片１０３１がわずかに反り上がっている。同時に、押し当て手段１０の方向転換設計に対応させるべく、前記台座４１上における位置決め溝４７は内径が大きくなっている。
【００２４】
図４Ａのレンズカバー、発光ユニットおよび放熱ハウジングを組付ける動作の概略図である図４ＢないしＦを参照されたい。図示するように、前記口金２、駆動回路板３の前記放熱ハウジング１への組付けが完了した後、押し当て板１０３を方向転換させて、前記押し当て板１０３の両突片１０３１と前記位置決め溝４７とが同一方向となったとき、前記位置決め溝４７と押し当て板１０３とが位置合せされて通過するとともに台座４１をセパレータ１４上に配置させて、さらに押し当て板１０３を回転することで、前記押し当て板１０３の両突片１０３１が前記台座４１上に押し当てられる。その後、レンズカバー６の接合部６１がまず押し当て手段１０と前記開口部１２の内壁とで形成されている隙間１９内に組付けられるとともに、同時にレンズカバー６の係止ツメ６３が嵌合溝１８の入口１８１に位置合せされて進入した後、レンズカバー６を回転させて、前記係止ツメ６３を前記スライド溝１８２にてスライドさせることで、前記レンズカバー６と前記放熱ハウジング１の開口部１２との組付けを迅速に行うことができる。
【００２５】
本発明の第５の実施例における発光ダイオードランプ構造体の分解概略図である図５Ａを参照されたい。図示するように、本実施例は上記図１、２に開示する構造と略同じであるが、相違点は前記台座４１の他方の面上に、内部が前記挿通穴４４に連通している中空状の円柱体４８が設けられており、前記円柱体４８の底部には、前記台座４１の二本の電力リード線４５に電気的に接続されている二つの電極端子４９が備えられ、外面が螺接部４０を備えている点である。また、放熱ハウジング１の貫通穴１６内壁上には、前記円柱体４８の螺接部４０に螺合するためのねじ溝面１６１を有している。
【００２６】
図５Ａのレンズカバー、発光ユニットおよび放熱ハウジングを組付ける動作の概略図である図５Ｂを参照されたい。図示するように、前記口金２、駆動回路板３の前記放熱ハウジング１への組付けが完了した後、台座４１の円柱体４８を放熱ハウジング１の貫通穴１６に位置合せして、円柱体４８上の螺接部４０と前記貫通穴１６内のねじ溝面１６１との螺合により、同時に二つの電極端子４９と前記駆動回路板３上の二つの導電端子とを接触させた後、レンズカバー６を前記放熱ハウジング１の開口部１２上に螺着する。外部電力が入力されると、口金２を介して二本の電力導入線３１、３１’に供給され、さらに駆動回路板３を介して発光素子４３を点灯させる。
【００２７】
上記は本発明の好ましい実施例に過ぎず、本発明の実施範囲を限定するためのものではない。本発明の特許請求の範囲に基づき行われる均等の変化および付加は、いずれも本発明の特許請求の範囲に含まれるものである。
【符号の説明】
【００２８】
１            放熱ハウジング
１１            放熱フィン
１２            開口部
１３            取付け口
１４            セパレータ
１４１            位置決め突起
１５            ねじ溝部
１６            貫通穴
１６１            ねじ溝面
１７            収容空間
１８            嵌合溝
１８１            入口
１８２            スライド溝
１９            隙間
１０            押し当て手段
１０１            突起
１０２            スプリング
１０３            押し当て板
１０３１          両突片
２            口金
２１            螺接部
２２            中心電極
３            駆動回路板
３１            電力導入線
３２            二本の電力出力線
３３            コネクタ
３４            導電端子
４            発光ユニット板
４１            台座
４２            回路基板
４２１            ハンダ付け面
４３            発光素子
４４            挿通穴
４５            電力リード線
４６            コネクタ
４７            位置決め溝
４８            円柱体
４９            電極端子
４０            螺接部
５            パッド
６            レンズカバー
６１            接合部
６２            ねじ溝面
６３            係止ツメ
【図１Ａ】
2011228117.tif 000003
【図１Ｂ】
2011228117.tif 000004
【図２Ａ】
2011228117.tif 000005
【図２Ｂ】
2011228117.tif 000006
【図２Ｃ】
2011228117.tif 000007
【図２Ｄ】
2011228117.tif 000008
【図３Ａ】
2011228117.tif 000009
【図３Ｂ】
2011228117.tif 000010
【図３Ｃ】
2011228117.tif 000011
【図３Ｄ】
2011228117.tif 000012
【図３Ｅ】
2011228117.tif 000013
【図４Ａ】
2011228117.tif 000014
【図４Ｂ】
2011228117.tif 000015
【図４Ｃ】
2011228117.tif 000016
【図４Ｄ】
2011228117.tif 000017
【図４Ｅ】
2011228117.tif 000018
【図４Ｆ】
2011228117.tif 000019
【図５Ａ】
2011228117.tif 000020
【図５Ｂ】
2011228117.tif 000021